(57)【要約】      （修正有）【課題】安価に組立て着用することのできる飛沫感染防止用のフェイスシールドを提供する。【解決手段】上片１に続く四角枠２と左右のバンド３ａ、３ｂとを紙で形成し、四角枠体内の窓孔に透明プラスチックフィルム５を貼り付けて顔面被覆用のフェイスシールド６を形成し、上片に下から山折り湾曲線イと谷折り湾曲線ロ、山折り線ハの順に延長片を設け、中間の谷折り湾曲線に沿ってティッシュペーパーを挟み込み固定するためのコ形溝ニを１乃至数個設けたことを特徴とする。【選択図】図１
0003227554.tif 000002
【実用新案登録請求の範囲】
【請求項１】
上片に続く四角枠と左右のバンドとを紙にて形成し、該四角枠体内の窓孔を透明プラスチックフィルムにて貼り付けて顔面被覆用のフェイスシールドを形成し、該上片に下から山折り湾曲線と谷折り湾曲線、山折り線の順に延長片を設け、中間の谷折り湾曲線に沿ってティッシュペーパー等を挟み込み固定するためのコ形溝を１乃至数個にて設けたことを特徴とする簡易組立式飛沫感染防止用のフェイスシールド。
【請求項２】
四角枠と窓孔にかえて上片下に顔面被覆用の透明プラスチックシートを吊り下げてなる請求項１に記載の簡易組立式飛沫感染防止用のフェイスシールド。
【請求項３】
フェイスシールド全体を透明プラスチックシートにて形成した請求項１に記載の簡易組立式飛沫感染防止用のフェイスシールド。
【考案の詳細な説明】
【技術分野】
【０００１】
この考案は簡易組立式飛沫感染防止用のフェイスシールドに関するものである。
【背景技術】
【０００２】
この種のフェイスシールドとしては特開２０００−１７５９５６号公報がある。この公報は農林業，医療，鉄工業などにおいて、飛散物から作業者の顔面を保護するための防護面の作業性を向上させるとして、防護面のアーム形の支持部材を回動可能にするとともにスプリング入りの押圧材にて回動点にて固定するようにしたことを記載している。
【先行技術文献】
【特許文献】
【０００３】
【特許文献１】特開２０００−１７５９５６号公報
【考案の概要】
【考案が解決しようとする課題】
【０００４】
しかしながら、上記公報はアーム形の支持部材とその中心に押圧材入りの支持部にて顔面を覆う防護面を吊り下げてなる立体形状のため、嵩張ることから保管，輸送の効率が悪いという課題がある。
【０００５】
また、スプリング入りの押圧材を有す支持部材を用いることで高価になるという課題がある。
【課題を解決するための手段】
【０００６】
本考案はフェイスシールドの枠体とバンドを紙にて形成し、枠体内の窓孔を透明プラスチックの貼り付けにてフェイスシールドとしたことで、先づ安価で使用前は展開した一面体の形状によって、保管，輸送を効率的にして、上記の課題を解決したのである。
【考案の効果】
【０００７】
本考案はフェイスシールドを安価に形成することができるという効果を生ずる。
【０００８】
紙とプラスチックにて形成するので軽量により着用者の負担が少ないという効果を生ずる。
【０００９】
保管，輸送を効率的に行えるという効果を生ずる。
【図面の簡単な説明】
【００１０】
【図１】第１実施例を示す組立て前の正面図
【図２】同、組立てた状態にて示す平面図
【図３】図２のａ−ａ線矢視縦断端面図
【図４】（ａ）（ｂ）は切起こし片間に輪ゴムを調整渡し掛けして着用する状態を示す部分背面図
【図５】（ａ）は左右のバンド端に掛止溝を設けた例を示す正面図、（ｂ）（ｃ）は着用時の掛け止め状態を示す背面図
【図６】第２実施例を示す正面図
【図７】（ａ）（ｂ）は第３実施例を示す正面図
【考案を実施するための形態】
【００１１】
本考案はフェイスシールドの枠体とバンドを紙にて一体形成し、枠体内の窓孔に透明プラスチックを貼って、フェイスシールドとするのである。
【００１２】
また枠体にかえて上片下に顔を覆う大きさの透明プラスチックを吊り下げてフェイスシールドとするのである。
【００１３】
特に留意する点として、枠体の上辺に下から順に山折り湾曲線イと谷折り湾曲線ロと山折り線ハを延長して設け、且つ谷折り湾曲線ロに沿って倒置コ形の切込みニを設けてフェイスシールドの装着時に山折り，谷折りすることでフレキシブルなスプリングのようなクッション性をもたらすようにし、またティッシュペーパーТを巻き付けて切込みニに挟み止めるようにしたことで着用者の額へのあたりをソフトにやわらげることができるようにしたことである。
【実施例１】
【００１４】
図１乃至図５は本考案の第１実施例を示すものである。
上片１に続いて顔面を覆う大きさの四角枠体２と左右のバンド３ａ，３ｂとからなるフェイスシールド体を紙を用いて形成し、該四角枠体２内の窓孔４に透視用として透明プラスチックフィルム５を貼り、且つ上片１に下から順に山折り湾曲線イ、谷折り湾曲線ロ、山折り線ハの延長部を設け、該谷折り湾曲線ロにティッシュペーパー等を挟み込み固定するためのコ形の切込みニを１乃至数個にて設け、左右のバンド３ａ，３ｂ端に輪ゴム止め用の切起こし片３ｃまたは図５に示すように長さ調整をして相互に掛け止める掛止溝３ｄを設けてフェイスシールド６とする。
【００１５】
着用者は山折り湾曲線イにて山折り、谷折り湾曲線ロにて谷折りし、さらに山折り線ハにて山折りして額に沿って当て付けてバンド３ａ，３ｂを後頭部に廻し、図４（ａ）（ｂ）に示すように輪ゴムＡの調整渡し掛け、または図５（ｂ）（ｃ）に示すように掛止溝３ｄの調整個所での相互掛け止めにて着用する。
【００１６】
この際、図３に示すように額にあたる面にティッシュペーパーТなど柔らかいものを巻き付けて端部を上片１上の谷折り湾曲線ロに沿って設けたコ形切込みニに挟み止め固定することで、額へのあたりをソフトにして着用時の快適性を向上することができる。
【実施例２】
【００１７】
図６は本考案の第２実施例であって、四角枠体２にかえて上片１下に透明プラスチックシート７を吊り下げてフェイスシールド６とした例を示している。その他の構成と作用は第１実施例と同じである。
【実施例３】
【００１８】
図７は本考案の第３実施例であって、フェイスシールド６全体を透明プラスチックシート７にて形成した例を示すもので、四角枠に窓孔を設けて透明プラスチックフィルムを貼り付けすることなしにフェイスシールド６を一体成形することができる。その他の構成と作用は第１実施例と同じである。
【産業上の利用可能性】
【００１９】
本考案はフェイスシールドを安価にて形成し、効率よく保管，輸送を行えることで広く利用されるものである。
【符号の説明】
【００２０】
１は上片
２は四角枠体
３ａ，３ｂはバンド
３ｃは切起こし片
３ｄは掛止溝
４は窓孔
５は透明プラスチックフィルム
６はフェイスシールド
７は透明プラスチックシート
イは山折り湾曲線
ロは谷折り湾曲線
ハは山折り線
ニはコ形切込み
Ａは輪ゴム
Тはティッシュペーパー
【図１】
0003227554.tif 000003
【図２】
0003227554.tif 000004
【図３】
0003227554.tif 000005
【図４】
0003227554.tif 000006
【図５】
0003227554.tif 000007
【図６】
0003227554.tif 000008
【図７】
0003227554.tif 000009
【手続補正書】
【提出日】令和2年6月4日(2020.6.4)
【手続補正１】
【補正対象書類名】実用新案登録請求の範囲
【補正対象項目名】全文
【補正方法】変更
【補正の内容】
【実用新案登録請求の範囲】
【請求項１】
上片に続く四角枠と左右のバンドとを紙にて形成し、該四角枠体内の窓孔を透明プラスチックフィルムにて貼り付けて顔面被覆用のフェイスシールドを形成し、該上片に下から山折り湾曲線と谷折り湾曲線、山折り線の順に延長片を設け、中間の谷折り湾曲線に沿ってティッシュペーパーを挟み込み固定するためのコ形溝を１乃至数個にて設けたことを特徴とする簡易組立式飛沫感染防止用のフェイスシールド。
【請求項２】
四角枠と窓孔にかえて上片下に顔面被覆用の透明プラスチックシートを吊り下げてなる請求項１に記載の簡易組立式飛沫感染防止用のフェイスシールド。
【請求項３】
フェイスシールド全体を透明プラスチックシートにて形成した請求項１に記載の簡易組立式飛沫感染防止用のフェイスシールド。